(57)【要約】      （修正有）【課題】注出栓の外気導入口と外気導入弁との間に水や埃が溜まりにくく、安定的に弁機能を発揮できるスクイズ容器の提案。【解決手段】外容器１と内容器２の相互間に外気を導入するスクイズ容器において、内容器の口頚部２ａと注出筒３ｃの注出孔との連通を遮断する隔壁４を設け、該隔壁に内容物を流通させるゲート４ｃを設け、該ゲート上に外容器胴体部分のスクイズにて該ゲートを開放し内容物の流通を可能とする弁体５ｂを配設するとともに、天面壁３ａと隔壁との間に注出孔および弁体５ｂを囲む筒体５ａを配設し、天面壁に外容器に形成された開孔１０に筒体の外側で連通する外気導入口９を形成し、筒体の外側に、天面壁の裏側の外気導入口の周囲の座面に着座する弁体１１ａと、天面壁に固定支持されて弁体と対向する基台１１ｃと、弁体と基台との間に介挿されて弁体を座面に向けて弾性的に附勢する弾性部材１１ｂとを配設して外気導入弁１１を構成する。【選択図】図１
2014125268.tif 000002
【特許請求の範囲】
【請求項１】
口頚部を有し、容器の外観を形作る外容器と、この外容器の内側に配置され、前記外容器胴体部分のスクイズによる減容化にてその内部に充填した内容物を該口頚部に装着された注出栓を通して注出する内容器とを備え、スクイズに伴う前記外容器胴体部分の復元過程で該外容器に形成された開孔を通して該外容器と内容器との相互間に外気を導入するスクイズ容器において、
前記内容器の口頚部と、前記注出栓の天面壁に設けられた注出孔との相互間に、該口頚部と該注出孔との連通を遮断する隔壁を設け、
前記隔壁に、内容物を流通させるゲートを設け、このゲート上に、前記外容器胴体部分のスクイズに伴う押圧にて該ゲートを開放し内容物の流通を可能とする弁体を配設するとともに、
前記天面壁と前記隔壁との間に、前記注出孔および前記弁体を囲む筒体を配設し、
前記天面壁に、前記外容器に形成された開孔に前記筒体の外側で連通する外気導入口を形成し、
前記筒体の外側に、前記天面壁の裏側の、前記外気導入口の周囲の座面に着座する第２の弁体と、前記天面壁に固定支持されて前記第２の弁体と対向する基台と、前記第２の弁体と前記基台との間に介挿されて前記第２の弁体を前記座面に向けて弾性的に附勢する弾性部材とを配設して外気導入弁を構成したことを特徴とするスクイズ容器。
【請求項２】
前記弾性部材は、前記基台および前記第２の弁体の少なくとも一方と一体であることを特徴とする、請求項１記載のスクイズ容器。
【請求項３】
前記第２の弁体は、前記外気導入口内に遊嵌する突部を有することを特徴とする、請求項１または２記載のスクイズ容器。
【発明の詳細な説明】
【技術分野】
【０００１】
本発明は、合成樹脂にて成形された、内外二重の構造体からなるスクイズ容器に関するものである。ここに、内外二重の構造体とは、内容物を充填した内容器を外容器の内側に組み付けた二重容器、内容物を充填した内層体を外層体の内壁面から剥離させることにより該内容物を注出するデラミネーションタイプの容器のいずれをも含むものとし、以下、内側に位置するものを内容器、外側に位置するものを外容器として記すこととする。
【背景技術】
【０００２】
外容器の胴体部分を押圧することよってその内側に配設された内容器を減容させて内容物を注出するスクイズ容器は、内容物の注出に伴って内圧が減少するものであり、例えば、外容器の口部側壁に設けられた空気孔を通して外容器と内容器との相互間に外気を取り込むことで該外容器の胴体部分のみを元の形状に復元させるものである。
【０００３】
この種の容器は、毛染め剤や化粧料、食品等の充填ボトルとして近年幅広い分野で多用されており、内容物の品質保持（内容物の酸化あるいは成分の揮散防止等）を図る観点から、注出栓の内部に、外容器のスクイズによって内容物を注出するときのみに開放する弁体が配置された構造になっていて、この点に関しては、例えば特許文献１が参照される。
【先行技術文献】
【特許文献】
【０００４】
【特許文献１】特開２００７―２０２７３６号公報
【発明の開示】
【発明が解決しようとする課題】
【０００５】
ところで、上記特許文献１記載の従来のスクイズ容器にあっては、外容器と内容器との相互間に取り込まれた外気が外容器をスクイズする際に押し出されるのを防止して内容物を注出し易くする機能を備えた外気導入弁が設けられているところ、該外気導入弁は、注出栓の内部で上記弁体をその全周にわたって取り囲むように配置された片持ち支持形式のリング状の弁膜から構成されており、変形可能な領域が多いことから、容器への組み付けに際してセット不良（局所的な変形等）を起こしやすく、しかも、スクイズ回数の増加に伴い該弁膜の弁座に対する当たりが次第に弱くなってその機能が損なわれることも懸念された。
【０００６】
また、この種のスクイズ容器においては、注出栓の外気導入口と外気導入弁との間に比較的広い空間が形成され、その空間に水や埃等が溜まるおそれもあり、その場合、水が外気導入弁を通って外容器と内容器との間に入り込んだり、その埃等が外気導入弁に挟まってその逆止機能を阻害したりする可能性を完全には排除し得なかった。
【０００７】
それゆえ本発明の課題は、外気導入弁について生じていた上記の如き従来の不具合を解消し容器内の内容物を使い切るまで安定的にその機能を発揮させることができ、かつ、注出栓の外気導入口と外気導入弁との間に水や埃等が溜まりにくいスクイズ容器を提案することにある。
【課題を解決するための手段】
【０００８】
上記課題を解決する本発明のスクイズ容器は、口頚部を有し、容器の外観を形作る外容器と、この外容器の内側に配置され、前記外容器胴体部分のスクイズによる減容化にてその内部に充填した内容物を該口頚部に装着された注出栓を通して注出する内容器とを備え、スクイズに伴う前記外容器胴体部分の復元過程で該外容器に形成された開孔を通して該外容器と内容器との相互間に外気を導入するスクイズ容器であって、
前記内容器の口頚部と、前記注出栓の天面壁に設けられた注出孔との相互間に、該口頚部と該注出孔との連通を遮断する隔壁を設け、
前記隔壁に、内容物を流通させるゲートを設け、このゲート上に、前記外容器胴体部分のスクイズに伴う押圧にて該ゲートを開放し内容物の流通を可能とする弁体を配設するとともに、
前記天面壁と前記隔壁との間に、前記注出孔および前記弁体を囲む筒体を配設し、
前記天面壁に、前記外容器に形成された開孔に前記筒体の外側で連通する外気導入口を形成し、
前記筒体の外側に、前記天面壁の裏側の、前記外気導入口の周囲の座面に着座する第２の弁体と、前記天面壁に固定支持されて前記第２の弁体と対向する基台と、前記第２の弁体と前記基台との間に介挿されて前記第２の弁体を前記座面に向けて弾性的に附勢する弾性部材とを配設して外気導入弁を構成したことを特徴とするものである。
【０００９】
本発明のスクイズ容器においては、前記弾性部材は前記基台および前記第２の弁体の少なくとも一方と一体であることが、本発明の課題解決のための具体的手段としてとくに好ましい。
【００１０】
また、本発明のスクイズ容器においては、前記第２の弁体は、前記外気導入口内に遊嵌する突部を有することが、本発明の課題解決のための具体的手段としてとくに好ましい。
【発明の効果】
【００１１】
上記の構成からなる本発明のスクイズ容器によれば、内容器の口頚部と、前記注出栓の天面壁に設けられた注出孔との相互間に、該口頚部と該注出孔との連通を遮断する隔壁を設け、前記隔壁に、内容物を流通させるゲートを設け、このゲート上に、前記外容器胴体部分のスクイズに伴う押圧にて該ゲートを開放し内容物の流通を可能とする弁体を配設するとともに、この隔壁と前記天面壁との間に、前記注出孔および前記弁体を囲む筒体を配設し、前記天面壁に、前記外容器に形成された開孔に前記筒体の外側で連通する外気導入口を形成し、前記筒体の外側に、前記天面壁の裏側の、前記外気導入口の周囲の座面に着座する第２の弁体と、前記天面壁に固定支持されて前記第２の弁体と対向する基台と、前記第２の弁体と前記基台との間に介挿されて前記第２の弁体を前記座面に向けて弾性的に附勢する弾性部材とを配設して外気導入弁を構成したため、該外気導入弁そのもののサイズのコンパクト化が可能となり、容器への組み付け時において部材が局所的に変形したり、スクイズ回数の増加に伴って弁体の座面に対する当たりが弱くなるのを回避することができる。
【００１２】
また、注出栓の天面壁に形成した外気導入口と、その天面壁の裏側の、外気導入口の周囲の座面に着座する第２の弁体との間には、天面壁の厚さ分の僅かな空間しかないこととなり、これにより、注出栓の外気導入口と外気導入弁との間の空間に水や埃等が溜まるのを回避し得て、その空間に溜まった水が外気導入弁を通って外容器と内容器との間に入り込んだり、その空間に溜まった埃等が外気導入弁に挟まって外気導入弁の逆止機能を阻害したりするのを防止することができる。
【００１３】
また、本発明のスクイズ容器によれば、好ましくは前記弾性部材が前記基台および前記第２の弁体の少なくとも一方と一体とされており、これにより、外気導入弁の構成を簡易なものにすることができる。
【００１４】
さらに、本発明のスクイズ容器によれば、好ましくは前記第２の弁体が前記外気導入口内に遊嵌する突部を有しており、これにより、注出栓の外気導入口と外気導入弁との間の空間に第２の弁体の突部が存在するためその空間がさらに僅かになるので、注出栓の外気導入口と外気導入弁との間の空間に水や埃等が溜まるのをより確実に回避することができる。
【図面の簡単な説明】
【００１５】
【図１】図１は、本発明のスクイズ容器の一実施形態を示した図であり、図１（ａ）は平面を示した図、図１（ｂ）は側面を断面で示した図である。
【図２】図２は、図１に示したスクイズ容器の外気導入弁の弁体を示した斜視図である。
【図３】図３は、図１に示したスクイズ容器の外気導入弁の動きを示した図であり、図３（ａ）は弁体が閉じた状態、図３（ｂ）は弁体が開いた状態を示した図である。
【発明を実施するための最良の形態】
【００１６】
以下、図面を参照して本発明をより具体的に説明する。ここに、図１（ａ），（ｂ）は本発明のスクイズ容器の一実施形態（デラミネーションタイプ）を模式的に示した図、図２は、図１に示したスクイズ容器の外気導入弁の弁体を示した斜視図、そして図３は、図１に示したスクイズ容器の外気導入弁の動きを示した図である。
【００１７】
図における符号１は、軟質で初期形状に復元可能な合成樹脂からなり、容器の外観形状を形作る外容器（外層体）を示す。外容器１は、円筒状の口頚部１ａを有する、例えばボトル型形状をなすものが適用されるが、その胴体部分の形状は、内容物の種類や用途に応じて種々変更することができるものであって、ここでは、外容器１の全体形状についての表示はしない。また、口頚部１ａについては円筒状のものを例として示したが、その形状は円筒状のものに限られるわけではなく、種々の形状のものを適宜採用することができる。
【００１８】
符号２は、外容器１の胴体部分のスクイズによって減容化することができる内容器〈内層体〉を示す。この内容器２の内側には充填空間が形成されており、該充填空間に内容物が充填される。内容器２は、その口頚部２ａが外容器１の口頚部１ａに一体連結しており、その胴体部分の周りにおける少なくとも一箇所には、容器の軸心に沿って外容器１の内壁につながる幅の狭い接合部が設けられ、これにより、内容器２が外容器１内で位置決めされている。なお、上記の接合部は、剥離不能に接着されている部位であるが、該接合部は設けなくてもよい。
【００１９】
符号３は、外容器１の口頚部１ａに着脱自在にねじ止めにより（アンダーカットによる嵌合でもよい）装着された注出栓を示す。注出栓３は、外容器１の口頚部１ａの開口を覆う天面壁３ａと、この天面壁３ａの縁部に一体連結し、その内壁面に外容器１の外周に設けられたねじ部に係合するねじ部を有する環状周壁３ｂと、天面壁３ａに設けられ、天面壁３ａを貫通する注出孔を通して内容物の注出を可能とする注出筒３ｃとを備えている。
【００２０】
符号４は、注出栓３の天面壁３ａ下面と、外容器１の口頚部１ａとの相互間に設けられたディスク状の隔壁を示す。この隔壁４は、内容器２の口頚部２ａと注出孔との連通を遮断するものであり、口頚部２ａの開口部を覆う隔壁本体４ａの下面には、内容器２の口頚部２ａおよび外容器１の口頚部１ａの内面に嵌合する脚部４ｂが設けられ、該隔壁本体４ａには、内容物を流通させるゲート（開孔）４ｃが形成されている。
【００２１】
符号５は、ゲート４ｃ上に配設され、ゲート４ｃを閉塞状態に保持するが、外容器１の胴体部分のスクイズにより該ゲート４ｃを開放して内容物を流通させる弁体を示す。この弁体５は、例えば、固定部を形成する筒体５ａと、弁本体５ｂ（ゲート４ｃを閉塞する部分）と、この筒体５ａおよび弁本体５ｂの間で各々周方向へ延在して筒体５ａおよび弁本体５ｂを一体的につなぐ三本の弾性アーム５ｃとから構成された三点弁が適用される。なお、弁体５の構造については上記のものには限定されない。
【００２２】
符号６は、ゲート４ｃの隣接部位に設けられ、隔壁４において貫通する開口６ａを有するサックバック用の貯留室を示す。この貯留室６は、隔壁４の下部に吊下げ保持され（隔壁４に一体連結したものであってもよいし別部材を組み合わせたものでもよい。また、隔壁４の上部に立設してもよい）、その内部に残留内容物の収容空間を形成する底無し筒状の周壁にて形成された貯留室本体６ｂと、この貯留室本体６ｂの収容空間内で開口６ａに対し近接および離隔する向きに移動可能で、該開口６ａから離隔する向きへの移動にて残留内容物を該開口６ａを通して収容空間に引き込む球状のスライダー６ｃとから構成されている。なお、開口６ａは、弁体５によって一部分が覆われてもよいが、完全には閉塞されておらず、常時開放された状態にある。
【００２３】
符号７は、貯留室本体６ｂを形成する周壁の上端部位に設けられ、スライダー６ｃの、開口６ａからの抜け出しを防止する少なくとも一つの突起、８は、貯留室本体６ｂの下部に設けられた末端開口をそれぞれ示す。末端開口８は、スライダー６ｃよりも小さなサイズになっており、突起７と末端開口８の範囲間でスライダー６ｃが移動する。
【００２４】
内容物の注出に際して容器を傾動姿勢あるいは反転姿勢に保持するか、もしくはスクイズ操作によって外容器１の胴体部分を加圧するとスライダー６ｃは、開口６ａに最も近接するように移動する。一方、内容物の注出を終えて容器を正位姿勢に戻すと該スライダー６ｃは、その自重、または内容器２の復元力によって生じる負圧により開口６ａから離隔する向き、すなわち、すなわち末端開口８に向けて移動することになり、この時、隔壁４の上面に存在する残留内容物は、開口６ａを通して収容空間へと引き込まれ、これにより、液だれが回避される。
【００２５】
スライダー６ｃと貯留室本体６ｂを形成する周壁との間には、わずかな隙間が形成されていてもよいが、内容物の表面張力等を考慮して残留内容物がその隙間を通り抜けることがない隙間設定がなされており、残留内容物は確実に収容空間に収容される結果、外気に触れた内容物（残留内容物）が貯留室本体６ｂを通じて容器内へ入り込むのが回避される。
【００２６】
スライダー６ｃは、合成樹脂製や金属製のものを適用することが可能であって、とくに金属製のものを適用する場合には、自重によるスムーズな移動が可能となり、サックバック効果をより一層高めることができる。スライダー６ｃを金属製の部材で構成する際にはその表面を樹脂で被覆したものを用いてもよく、これにより内容物の品質が安定的に維持される。
【００２７】
スライダー６ｃは、この実施形態では、球状体を例として示したが、貯留室本体６ｂ内でのスムーズな移動が可能であるならばその形状は適宜変更可能であり、例示のものには限定されず例えば円盤状や円柱形や角柱形等であってもよい。なお、スライダー６ｃは、それを乗り越えて内容物および／または空気が実質的に流通することがないように設計されている。
【００２８】
符号９は、注出栓３の天面壁３ａの、図示例では１箇所に設けられた外気導入孔、１０は外容器１の口頚部１ａに設けられた横向の開孔をそれぞれ示す。外気導入孔９は、後述する筒体５ａの外側で、隔壁４の外縁部と注出栓３の環状周壁３ｂとの間に形成された隙間、および口頚部１ａと注出栓３の環状周壁３ｂとの間に形成された隙間を介して開孔１０と連通し、これにより、外気導入孔９から注出栓３内に導入された外気は、開口１０を通って内容器２と外容器１との相互間に取り込まれる。
【００２９】
符号１１は、注出栓３と隔壁４との相互間に配設された外気導入弁である。この外気導入弁１１は、上端部が、注出栓３の天面壁３ａの下面に設けられた環状周壁（注出筒３ｃの、注出孔となる貫通孔を取り囲む位置に設けられている）３ｄに嵌合する一方、下端部が、隔壁４の上面に設けられた環状周壁４ｄ（開口６ａ、ゲート４ｃおよび弁体５を取り囲む位置に設けられている）に嵌合してその内側に区画領域を形成する上記筒体５ａの外側の位置に、天面壁３ａの裏側（図１（ｂ）では下側）に位置する第２の弁体としての弁体１１ａと、天面壁３ａに固定支持されて弁体１１ａと対向する基台１１ｃと、弁体１１ａと基台１１ｃとの間に介挿された例えば各々略Ｃ字状の板バネ状部材からなり互いに対向する２枚の弾性部材１１ｂとを有している。
【００３０】
ここで、弁体１１ａと弾性部材１１ｂと基台１１ｃとは各々例えば樹脂製のものとされ、弁体１１ａおよび基台１１ｃは、図２に示すように、２枚の弾性部材１１ｂの上下端部にそれぞれ一体に形成されて各々円盤状をなしており、図３（ａ）に示すように、弁体１１ａは、天面壁３ａの裏側で外気導入口９を囲む筒状壁３e内に昇降自在に収容されるとともに、通常はその外気導入口９の周囲の環状の座面３ｆに気密に着座し、基台１１ｃは、筒状壁３e内の下端部に固定配置されている。そして２枚の弾性部材１１ｂは基台１１ｃで支持されて、弁体１１ａを座面３ｆに向けて図では上向きに弾性的に附勢している。なお、弁体１１ａと弾性部材１１ｂは、別体に形成して互いに連結してもよく、弾性部材１１ｂと基台１１ｃも、別体に形成して互いに連結してもよい。また、筒状壁３eの内周面には、基台１１ｃを抜け止めする環状のフランジ部（複数の突起でもよい）３ｇと、筒状壁３eの延在方向に沿って延在するとともに基台１１ｃの周縁部の上面が当接し、弁体１１ａの外周面をガイドするとともに周囲に外気通路を画成する複数のリブ３ｈとが設けられている。
【００３１】
外気導入弁１１は、外容器１の胴体部分に加えた力（スクイズのための力）を取り除いて該外容器１が初期形状に復元する際に内容器２と外容器１との相互間に生ずる負圧によって、図３（ｂ）に示すように、弁体１１ａが２枚の弾性部材１１ｂを弾性変形させながら内側に引かれ、座面３ｆから離間して外気導入口９を開放して、図中矢印で示す経路での外気の導入を可能にするものであり、内容器２と外容器１との相互間への外気の導入により外容器１は速やかに初期形状へと復帰し、かつ、スクイズ動作により内容器２を押し潰すときには閉塞状態に保たれ、内容器２の中に充填された内容物を確実に排出する。
【００３２】
なお、外気導入弁１１を収容する筒状壁３eは、天面壁３ａに形成する代わりに弁体５の筒体５ａの外側に筒体５ａと一体に形成することも可能であり、この点については限定されない。また、ゲート４ｃ上の弁体本体５ｂと、弁体５を構成する筒体５ａとは、それらを相互に一体連結して部品点数の削減を図ることができるものを例として示したが、弁本体５ｂと筒体５ａとは、別部材で構成してもよく、この点については限定されない。
【００３３】
さらに、符号１２は蓋体を示す。この蓋体１２は、注出栓３の天面壁３ａの縁部にヒンジ１３、弾性体１４を介して開閉可能に連結する。この蓋体１２は、天板１２ａと、この天板１２ａの縁部に連結する周壁１２ｂと、この周壁１２ｂの前方に一体連結する指掛け部１２ｃとからなっており、蓋体１２を閉じるとき、天板１２ａの裏面に設けた環状体１２ｄが注出筒３ｃの注出孔内に挿入され嵌合するようになっている。このとき、少なくとも残留内容物の一部は収容空間に引き込まれているため、注出孔内には残留内容物は存在せず、該環状体１２ｄが該注出孔内に挿入されても液だれや液はねが生じることはない。
【００３４】
上記の構成からなるスクイズ容器において、内容器２内に充填された内容物を注出するには、容器を傾動、反転姿勢に保持して外容器１の胴体部分をスクイズすればよく、これにより内容器２は減容（縮減）するとともに、その中に充填された内容物が、口頚部２ａ、ゲート４ｃを通り、注出筒３ｃの注出孔から排出される。このとき、スライダー６ｃは、開口６ａに近接したところ（突起７が設けられた部位）に位置する。
【００３５】
スクイズ動作を停止し押圧状態を解除すると、ゲート４ｃが弁体５によりすぐさま閉塞状態に保持され、これとともに、外気導入弁１１の弁体１１ａが注出栓３の天面壁３ａの裏側の外気導入口９を囲む座面３ｆから離間して外気導入孔９が開放され、外容器１と内容器２との相互間に外気が導入されて該外容器１は速やかに初期形状（潰れる前の形状）に復帰する。そして、外容器１と内容器２との相互間の圧力が外気圧に近づくと、２枚の弾性部材１１ｂの弾性復元力が負圧に勝って弁体１１ａが座面３ｆに着座し、外気導入弁１１を閉止する。
【００３６】
スクイズ動作の停止（解除）に合わせて容器を正位姿勢（起立姿勢）に戻すと、注出筒３ｃから隔壁４に至るまでの間には、内容物が残存することになるが、スライダー６ｃが末端開口８に向けて移動する間に、該スライダー６ｃの移動に伴うサックバックによって、隔壁４の上部に残留する内容物は貯留室６の収容空間へと引き込まれることとなる。
【００３７】
従って、この実施形態のスクイズ容器によれば、外気導入口９の周囲の座面３ｆに着座する弁体１１ａのサイズを小さくすることが可能となり、容器の組み付けに際して弁体１１ａ自体が局所的に変形したり、スクイズ回数の増加に伴って該弁体１１ａの座面３ｆに対する当たりが弱くなるのを回避することができる。
【００３８】
また、この実施形態のスクイズ容器によれば、外気導入口９と、弁体１１ａとの間には、天面壁３ａの厚さ分の僅かな空間しかないこととなり、これにより、注出栓３の外気導入口９と外気導入弁１１との間の空間に水や埃等が溜まるのを回避し得て、その空間に溜まった水が外気導入弁１１を通って外容器１と内容器２との間に入り込んだり、その空間に溜まった埃等が外気導入弁１１に挟まって外気導入弁１１の逆止機能を阻害したりするのを防止することができる。
【００３９】
また、この実施形態のスクイズ容器によれば、２枚の弾性部材１１ｂが基台１１ｃおよび弁体１１ａと一体とされているので、外気導入弁１１の構成を簡易なものにすることができる。
【００４０】
さらに、この実施形態のスクイズ容器によれば、弁体１１ａが外気導入口９内に遊嵌する突部１１ｄを有していることから、注出栓３の外気導入口９と外気導入弁１１との間の空間に弁体１１ａの突部１１ｄが存在するためその空間がさらに僅かになるので、注出栓３の外気導入口９と外気導入弁１１との間の空間に水や埃等が溜まるのをより確実に回避することができる。
【００４１】
以上、図示例に基づき説明したが、この発明は上述の例に限定されるものでなく、特許請求の範囲の記載範囲内で適宜変更し得るものであり、例えば、上掲の図１においては、外容器１を外層体で、内容器２を内層体で構成し、内容物の注出量が多くなるに従って該内層体が外層体１から剥離して減容するデラミネーションタイプのスクイズ容器を例として示したが、本発明は、外容器１の内側に内容物を充填した内容器２を組み付けた二重容器を適用することも可能であり、これにより、外容器１の再利用が可能になる。
【００４２】
また、上記実施形態では外気導入口９と外気導入弁１１を注出栓３の天面壁３ａの１箇所に設けているが、本発明における外気導入口と外気導入弁は、注出栓３の天面壁３ａの複数箇所に設けてもよい。さらに、上記実施形態では２枚の弾性部材１１ｂは板バネ状をなしているが、本発明における弾性部材はコイルバネ状の部材からなるものでもよく、弾性的に圧縮変形可能なものでもよい。また、上記実施形態では弁体と弾性部材と基台とは樹脂製の部材としているが、本発明における弁体と弾性部材と基台との少なくとも一つは金属製の部材としてもよい。
【００４３】
さらに、上記実施形態では隔壁４に貯留室６を設けているが、これを省略することもできる。
【産業上の利用可能性】
【００４４】
かくして本発明によれば、外気導入弁の機能を容器内の内容物を使い切るまで安定的に発揮させることができる。
【００４５】
また、本発明によれば、注出栓の外気導入口と外気導入弁との間の空間に水や埃等が溜まるのを回避し得て、その空間に溜まった水が外気導入弁を通って外容器と内容器との間に入り込んだり、その空間に溜まった埃等が外気導入弁に挟まって外気導入弁の逆止機能を阻害したりするのを防止することができる。
【符号の説明】
【００４６】
１  外容器
１ａ  口頚部
２  内容器
２ａ  頚部
３  注出栓
３ａ  天面壁
３ｂ  環状周壁
３ｃ  注出筒
３ｄ  環状周壁
３ｅ  筒状壁
３ｆ  座面
３ｇ  環状のフランジ部
３ｈ  リブ
４  隔壁
４ａ  隔壁本体
４ｂ  脚部
４ｃ  ゲート
４ｄ  環状周壁
５  弁体
５ａ  筒体
５ｂ  弁本体
６  貯留室
６ａ  開口
６ｂ  貯留室本体
６ｃ  スライダー
６ｄ  開孔
７  突起
８  開口
９  外気導入孔
１０  開孔
１１  外気導入弁
１１ａ  弁体（第２の弁体）
１１ｂ  弾性部材
１１ｃ  基台
１１ｄ  突部
１２    蓋体
１２ａ  天板
１２ｂ  周壁
１２ｃ  指掛け部
１２ｄ  環状体
１２ｅ  環状体
１３    ヒンジ
１４    弾性体
【図１】
2014125268.tif 000003
【図２】
2014125268.tif 000004
【図３】
2014125268.tif 000005